(57)【特許請求の範囲】
【請求項１】
公衆網に接続可能な基地局との間で、伝送データの情報量に応じて伝送レートを可変してバースト通信を行なう移動通信端末装置において、
音声を入出力する音声入出力手段を接続する接続手段と、
この接続手段に前記音声入出力手段が接続された状態にあるか否かを検出する接続検出手段と、
この接続検出手段が前記音声入出力手段の接続を検出した場合に、前記伝送データを、予め設定した伝送レートのバースト信号に変換するバースト信号生成手段と、
前記予め設定した伝送レートに基づいて、前記バースト信号生成手段より得られるバースト信号を送信する送信手段とを具備することを特徴とする移動通信端末装置。
【請求項２】
前記バースト信号生成手段は、前記接続検出手段が前記音声入出力手段の接続を検出した場合に、前記伝送データを最高速のレートのバースト信号に変換することを特徴とする請求項１に記載の移動通信端末装置。
【請求項３】
公衆網に接続可能な基地局との間で、伝送データの情報量に応じて伝送レートを可変してバースト通信を行なう移動通信端末装置において、
音声を入出力する音声入出力手段を接続する接続手段と、
この接続手段に前記音声入出力手段が接続された状態にあるか否かを検出する接続検出手段と、
この接続検出手段が前記音声入出力手段の接続を検出した場合に、前記伝送データを、その情報量に応じて予め設定した値以上の伝送レートのバースト信号に変換するバースト信号生成手段と、
前記バースト信号生成手段で用いた伝送レートに基づいて、前記バースト信号生成手段より得られるバースト信号を送信する送信手段とを具備することを特徴とする移動通信端末装置。
【請求項４】
前記送信手段は、前記バースト信号生成手段より得られるバースト信号の有効部分を増幅し、前記基地局に向けてバースト送信を行なうことを特徴とする請求項１または請求項３に記載の移動通信端末装置。
【発明の詳細な説明】
【０００１】
【発明の属する技術分野】
この発明は、例えばＣＤＭＡ（Code Division Multiple Access ）方式のようにデータの伝送レートを可変制御して通信を行なう通信システムの移動通信端末装置に関する。
【０００２】
【従来の技術】
従来、例えば通信方式としてＣＤＭＡ方式を採用した自動車電話システムや携帯電話システムなどの移動通信端末装置では、音声等の伝送情報の量に応じて通信レートを可変制御して通信を行なっている。
【０００３】
図２は、従来の移動通信端末装置の構成を示す回路ブロック図である。この図に示す移動通信端末装置は、アナログモードの他に、ディジタルモードとしてＣＤＭＡ方式の通信モードを備えたデュアルモード無線通信装置である。
【０００４】
この従来のデュアルモード無線通信装置は、ディジタルモードが設定された状態においては、切替回路９，１４が制御部２４から出力される切替制御信号ＳＷＣ１に従ってＰＣＭ符号処理部８側に切り替わっている。
【０００５】
この状態で、図示しない基地局からディジタル通話チャネルを介してバースト送信された無線周波信号（以下、受信無線周波信号と称する）は、アンテナ１で受信されたのちアンテナ共用器（ＤＵＰ）２を介して受信回路（ＲＸ）３に入力される。
【０００６】
受信回路３では、上記受信無線周波信号が周波数シンセサイザ（ＳＹＮ）４から出力された受信局部発振信号とミキシングされて中間周波信号に周波数変換される。なお、上記周波数シンセサイザ４から発生される受信局部発振信号の周波数は、制御部２４からの制御信号ＳＹＣによって指示される。
【０００７】
上記受信中間周波信号は、ＣＤＭＡ信号処理部６において、直交復調処理が施されたのち、逆拡散処理が施されて、データレートに応じた所定のフォーマットのデータに変換される。
【０００８】
そしてこの変換結果は、受信データとして音声符号処理部７に入力され、また上記受信データのうち、データレートを示すデータについては、受信データレートとして制御部２４に入力される。
【０００９】
音声符号処理部７は、上記ＣＤＭＡ信号処理部６にて得られた受信データに対して、制御部２４から通知される受信データレートに応じて伸長処理を施し、ディジタル受話信号を得る。
【００１０】
そして、上記ディジタル受話信号は、ＰＣＭ符号処理部８にてアナログ受話信号に復号される。このアナログ受話信号は、切替回路９を介したのち切替回路１０に入力される。
【００１１】
切替回路１０は、制御部２４からの切替制御信号ＳＷＣ２によって切替制御され、後述のジャック１７にイヤホンマイク（図示しない）が接続されない場合には、上記アナログ受話信号を図示しない増幅器を介してスピーカ１１に入力して拡声出力する。また、ジャック１７にイヤホンマイクが接続される場合には、上記アナログ受話信号をジャック１７の出力端子１７１に出力する。
【００１２】
一方、話者の入力音声は、ジャック１７にイヤホンマイクが接続されない場合には、マイクロホン１２を通じてアナログ送話信号として入力され、切替回路１３，１４を介してＰＣＭ符号処理部８に入力される。
【００１３】
またジャック１７にイヤホンマイクが接続される場合には、話者の入力音声は上記イヤホンマイクを通じてアナログ送話信号としてジャック１７の入力端子１７２より入力され、切替回路１３，１４を介してＰＣＭ符号処理部８に入力される。なお、切替回路１３は、上記切替制御信号ＳＷＣ２によって切替制御される。
【００１４】
ＰＣＭ符号処理部８に入力されたアナログ送話信号は、ＰＣＭ符号化処理が施されてディジタル送話信号に変換され、音声符号処理部７に入力される。
音声符号処理部７は、上記ディジタル送話信号より入力音声のエネルギー量を検出し、この検出結果に基づいてデータレートを決定する。そして、上記ディジタル送話信号を、上記データレートに応じたフォーマットのバースト信号に圧縮し、送信データとしてＣＤＭＡ信号処理部６に入力する。なお、上記データレートは、送信データレートとして制御部２４に通知される。
【００１５】
図３は上記ＰＣＭ符号処理部８に入力されるアナログ送話信号と、音声符号処理部７にて決定される送信データレートとの関係を示す図である。この図に示すように音声符号処理部７は、ディジタル送話信号を、その入力音声のエネルギー量が多くなるほど、段階的に高速なデータレートのフォーマットのバースト信号に圧縮処理するようにしている。
【００１６】
ＣＤＭＡ信号処理部６は、上記送信データを送信チャネルに応じたＰＮ符号を用いて拡散処理を施す。そしてこの処理結果に対して、直交変調処理を施し、直交変調信号として送信回路（ＴＸ）５に入力する。
なお、上記直交変調信号は、図４に示すように、前述の入力音声のエネルギー量に応じたレートのバースト信号となっている。
【００１７】
送信回路５は、上記直交変調信号を送信局部発振信号と合成して無線周波信号に変換する。そして、送信回路５は、制御部２４により通知される送信データレートに基づいて、フレーム毎に上記無線周波信号の有効部分だけを高周波増幅し、送信無線周波信号として出力する。なお上記送信局部発振信号は、制御部２４の指示に応じて周波数シンセサイザ４から出力される。
【００１８】
上記送信回路５にて有効部分だけが増幅された送信無線周波信号は、アンテナ共用器２を介してアンテナ１に供給され、これによりアンテナ１から図示しない基地局へ向けたバースト送信がなされる。
【００１９】
次に、アナログモードが設定された状態においては、切替回路９，１４が制御部２４から出力される切替制御信号ＳＷＣ１によってアナログ音声回路１５側に切り替わっている。
【００２０】
この状態で、図示しない基地局からアナログ通話チャネルを介して送られた無線周波信号は、アンテナ１で受信されたのちアンテナ共用器２を介して受信回路３に入力され、この受信回路３で中間周波信号に周波数変換される。この受信回路３から出力された受信中間周波信号は、アナログ音声回路１５に入力される。
【００２１】
このアナログ音声回路１５では、上記受信中間周波信号がＦＭ復調によりアナログ受話信号として再生される。このアナログ受話信号は、切替回路９を介したのち切替回路１０に入力される。
【００２２】
切替回路１０は、制御部２４からの切替制御信号ＳＷＣ２によって切替制御され、ディジタルモード時と同様に後述のジャック１７にイヤホンマイクが接続されるか否かにより、上記アナログ受話信号をスピーカ１１かジャック１７の出力端子１７１に出力する。
【００２３】
話者の入力音声についてもディジタルモード時と同様に、ジャック１７にイヤホンマイクが接続されるか否かにより、マイクロホン１２を通じて、あるいはイヤホンマイクを通じジャック１７の入力端子１７２より入力され、アナログ送話信号として切替回路１３，１４を介してアナログ音声回路１５に入力される。
【００２４】
アナログ音声回路１５では、上記送話信号に応じてＦＭ変調された変調信号が生成され、この変調信号は送信回路５に入力される。
送信回路５では、上記変調信号が周波数シンセサイザ４から発生されたアナログ通話チャネルの無線周波数に応じた送信局部発振信号とミキシングされて無線周波信号にアップコンバートされ、さらに所定の出力レベルに高周波増幅される。
【００２５】
そして、この送信回路５から出力された無線周波信号はアンテナ共用器２を介してアンテナ１に供給され、このアンテナ１から図示しない基地局へ向け送信される。
【００２６】
制御部２４は、例えばマイクロコンピュータを主制御部とし、各部を統括して制御するもので、図示しない基地局と通信リンクを開設して音声やデータの通信を行なうための通常の制御の他に、例えば通話相手の音声を後述の記憶部２１を用いて録音／再生する制御機能を備えている。
【００２７】
記憶部２１は、例えばＲＯＭやＲＡＭなどの半導体メモリを記憶媒体としたもので、この記憶媒体には制御部２４の制御プログラムや認証に必要な自機のＩＤデータの他、送受話制御に関する種々の制御データ、各種設定データ、短縮ダイヤル等に対応させたダイヤルデータ、通話相手の音声データを記憶するエリアを備えている。
【００２８】
コンソールユニット（ＣＵ）２２にはダイヤルキー、発信キー、終了キー、音量調節キーおよびモード指定キーなどのキー群と、通話相手端末の電話番号や装置の動作状態などを表示するためのＬＣＤ表示器、バッテリ３０のDischarge 状態を示す（バッテリ３０の充電を要求する）ＬＥＤランプが設けられている。
【００２９】
ジャック１７は、所定の形状のプラグを挿入することにより、イヤホンマイクを電気的に接続するためのもので、受信信号から再生したアナログ受話信号を上記イヤホンマイクに出力するための出力端子１７１と、上記イヤホンマイクから入力されるアナログ送話信号を切替回路１３に入力する入力端子１７２とを備えている。
３１は電源回路であり、この電源回路３１ではバッテリ３０の出力を基に所定の動作電源電圧Ｖccが生成されて各回路に供給される。
【００３０】
以上のように、従来の移動通信端末装置では、音声等の伝送情報の量に応じた通信レート（送信データレート）の無線周波信号を生成し、この無線周波信号の有効部分だけを高周波増幅してバースト送信を行なうようにしている。
【００３１】
したがって、無線周波信号の有効部分に対してのみ送信回路５が増幅動作するため、伝送する情報量に応じた消費電力で通信が行なわれることになり、効率よく通信がなされることになる。
【００３２】
ところで近時、難聴者が移動通信端末装置を利用する場合に、その利便性を向上させるための開発が当該発明者をはじめ、多くの研究者によって盛んに行なわれている。
【００３３】
その１つとして難聴者向けのイヤホンマイクがある。このイヤホンマイクは、受話音声信号を振動に変換して直接鼓膜に伝えることにより、難聴者でも受話音声信号の聞き取りを可能としたものである。
【００３４】
しかしながら、従来の移動通信端末装置では、例えば難聴者向けの特殊なイヤホンマイクを使用する場合に、送信データレートがフルレート以外の時には、送信回路５において断続的な増幅が行なわれることにより、アンテナ１によって受信された無線周波信号が上記イヤホンマイクにかぶって受話側のアナログ音声信号に影響を及ぼし、ノイズが混入するといった不具合が生じていた。
【００３５】
【発明が解決しようとする課題】
従来の移動通信端末装置では、難聴者向けの特殊なイヤホンマイクを使用すると、伝送情報量に応じて通信レートが自動的に可変されて送信信号の断続的な増幅が行なわれることにより、アンテナによって受信された無線周波信号が受話側のアナログ音声信号に影響を及ぼしてノイズが混入するという問題があった。
【００３６】
この発明は上記の問題を解決すべくなされたもので、難聴者向けの特殊なイヤホンマイクを使用した場合でも、受話側のアナログ音声信号を明瞭に再生することが可能な移動通信端末装置を提供することを目的とする。
【００３７】
【課題を解決するための手段】
上記の目的を達成するために、この発明に係わる移動通信端末装置は、公衆網に接続可能な基地局との間で、伝送データの情報量に応じて伝送レートを可変してバースト通信を行なう移動通信端末装置において、
音声を入出力する音声入出力手段を接続する接続手段と、
この接続手段に前記音声入出力手段が接続された状態にあるか否かを検出する接続検出手段と、
この接続検出手段が音声入出力手段の接続を検出した場合に、伝送データを、予め設定した伝送レートのバースト信号に変換するバースト信号生成手段と、
予め設定した伝送レートに基づいて、バースト信号生成手段より得られるバースト信号を送信する送信手段とを具備して構成するようにした。
【００３８】
上記構成の移動通信端末装置では、接続検出手段が音声入出力手段の接続を検出した場合に、伝送データを予め設定した伝送レートのバースト信号に変換し、送信手段が上記伝送レートに基づいてバースト信号生成手段より得られるバースト信号を送信するようにしている。
【００３９】
したがって、上記構成の移動通信端末装置によれば、バースト信号生成手段に予め設定される伝送レートとして高速な伝送レートを設定しておけば、難聴者向けの特殊なイヤホンマイクを接続した場合に送信バースト信号を増幅する際の断続的な増幅動作が減じられるため、上記イヤホンマイクを使用した場合でも、受話側のアナログ音声信号を明瞭に再生することができる。
【００４０】
【発明の実施の形態】
以下、図面を参照して、この発明の一実施形態に係わる移動通信端末装置について説明する。図１は、その構成を示すもので、アナログモードの他に、ディジタルモードとしてＣＤＭＡ方式の通信モードを備えている。但し、図１において、従来の移動通信端末装置の構成を示す図２と同一部分には同一符号を付して示し、ここでは異なる部分を中心に述べる。
【００４１】
このデュアルモード無線通信装置は、ディジタルモードが設定された状態においては、切替回路９，１４が制御部２０から出力される切替制御信号ＳＷＣ１に従ってＰＣＭ符号処理部８側に切り替わっている。
【００４２】
この状態で、図示しない基地局からディジタル通話チャネルを介してバースト送信された無線周波信号（以下、受信無線周波信号と称する）は、アンテナ１で受信されたのちアンテナ共用器２（ＤＵＰ）を介して受信回路（ＲＸ）３に入力される。
【００４３】
受信回路３では、上記受信無線周波信号が周波数シンセサイザ（ＳＹＮ）４から出力された受信局部発振信号とミキシングされて中間周波信号に周波数変換される。なお、上記周波数シンセサイザ４から発生される受信局部発振信号の周波数は、制御部２０からの制御信号ＳＹＣによって指示される。
【００４４】
上記受信中間周波信号は、ＣＤＭＡ信号処理部６において、直交復調処理が施されたのち、逆拡散処理が施されて、データレートに応じた所定のフォーマットのデータに変換される。
【００４５】
そしてこの変換結果は、受信データとして音声符号処理部７１に入力され、また上記受信データのうち、データレートを示すデータについては、受信データレートとして制御部２０に入力される。
【００４６】
音声符号処理部７１は、上記ＣＤＭＡ信号処理部６にて得られた受信データに対して、制御部２０から通知される受信データレートに応じた伸長処理を施し、ディジタル受話信号を得る。
【００４７】
そして、上記ディジタル受話信号は、ＰＣＭ符号処理部８にてアナログ受話信号に復号される。このアナログ受話信号は、切替回路９を介したのち切替回路１０に入力される。
【００４８】
切替回路１０は、制御部２０からの切替制御信号ＳＷＣ２によって切替制御され、後述のジャック１６にイヤホンマイク（図示しない）あるいは後述の難聴者用のイヤホンマイク４０が接続されない場合には、上記アナログ受話信号を図示しない増幅器を介してスピーカ１１に入力して拡声出力する。
【００４９】
また、ジャック１６に、上記イヤホンマイクあるいは難聴者用のイヤホンマイク４０が接続される場合には、上記アナログ受話信号をジャック１６の出力端子１６１に出力する。
【００５０】
ジャック１６は、上記イヤホンマイクのプラグあるいは難聴者用のイヤホンマイク４０のプラグ４００が挿入されることにより、これらのイヤホンマイクと当該移動通信端末装置都を電気的に接続するためのもので、受信信号から再生したアナログ受話信号を上記イヤホンマイクに出力するための出力端子１６１と、上記イヤホンマイクから入力されるアナログ送話信号を切替回路１３に入力する入力端子１６２とを備えている。
【００５１】
また、ジャック１６は、イヤホンマイク識別スイッチ１６３を備えている。このイヤホンマイク識別スイッチ１６３は、難聴者用イヤホンマイク４０のプラグ４００が接続された場合に、プラグ４００に設けられた識別用凸部４０３によって押下される。
【００５２】
一方、話者の入力音声は、ジャック１６にイヤホンマイクあるいは難聴者用のイヤホンマイク４０が接続されない場合には、マイクロホン１２を通じてアナログ送話信号として入力され、切替回路１３，１４を介してＰＣＭ符号処理部８に入力される。
【００５３】
また、ジャック１６にイヤホンマイクあるいは難聴者用のイヤホンマイク４０が接続される場合には、話者の入力音声は接続されたイヤホンマイクを通じてアナログ送話信号としてジャック１６の入力端子１６２より入力され、切替回路１３，１４を介してＰＣＭ符号処理部８に入力される。なお、切替回路１３は、上記切替制御信号ＳＷＣ２によって切替制御される。
【００５４】
ＰＣＭ符号処理部８に入力されたアナログ送話信号は、ＰＣＭ符号化処理が施されてディジタル送話信号に変換され、音声符号処理部７１に入力される。
音声符号処理部７１では、上記ディジタル送話信号より入力音声のエネルギー量を検出し、この検出結果に基づいてデータレートを決定する。そして、上記ディジタル送話信号を、上記データレートに応じたフォーマットのバースト信号に圧縮し、送信データとしてＣＤＭＡ信号処理部６に入力する。なお、上記データレートは、送信データレートとして制御部２０に通知される。
【００５５】
また、音声符号処理部７１は、制御部２０から送信データレートが指定される場合には、上記ディジタル送話信号を、制御部２０から通知される上記レートに応じたフォーマットのバースト信号に圧縮し、送信データとしてＣＤＭＡ信号処理部６に入力する。
【００５６】
ＣＤＭＡ信号処理部６は、上記送信データを送信チャネルに応じたＰＮ符号を用いて拡散処理を施す。そしてこの処理結果に対して、直交変調処理を施し、直交変調信号として送信回路（ＴＸ）５に入力する。
【００５７】
送信回路５は、上記直交変調信号を送信局部発振信号と合成して無線周波信号に変換する。そして、送信回路５は、制御部２０により通知される送信データレートに基づいて、上記無線周波信号の有効部分だけを高周波増幅し、送信無線周波信号として出力する。なお上記送信局部発振信号は、制御部２０の指示に応じて周波数シンセサイザ４から出力される。
【００５８】
上記送信回路５にて有効部分だけが増幅された送信無線周波信号は、アンテナ共用器２を介してアンテナ１に供給され、これによりアンテナ１から図示しない基地局へ向けたバースト送信がなされる。
【００５９】
次に、アナログモードが設定された状態においては、切替回路９，１４が制御部２０から出力される切替制御信号ＳＷＣ１によってアナログ音声回路１５側に切り替わっている。
【００６０】
この状態で、図示しない基地局からアナログ通話チャネルを介して送られた無線周波信号は、アンテナ１で受信されたのちアンテナ共用器２を介して受信回路３に入力され、この受信回路３で中間周波信号に周波数変換される。この受信回路３から出力された受信中間周波信号は、アナログ音声回路１５に入力される。
【００６１】
このアナログ音声回路１５では、上記受信中間周波信号がＦＭ復調によりアナログ受話信号として再生される。このアナログ受話信号は、切替回路９を介したのち切替回路１０に入力される。
【００６２】
切替回路１０は、制御部２０からの切替制御信号ＳＷＣ２によって切替制御され、ディジタルモード時と同様に後述のジャック１６にイヤホンマイクあるいは難聴者用のイヤホンマイク４０が接続されるか否かにより、上記アナログ受話信号をスピーカ１１かジャック１６の出力端子１６１に出力する。
【００６３】
話者の入力音声についてもディジタルモード時と同様に、ジャック１６にイヤホンマイクあるいは難聴者用のイヤホンマイク４０が接続されるか否かにより、マイクロホン１２を通じて、あるいは接続されたイヤホンマイクを通じジャック１６の入力端子１６２より入力され、アナログ送話信号として切替回路１３，１４を介してアナログ音声回路１５に入力される。
【００６４】
アナログ音声回路１５では、上記送話信号に応じてＦＭ変調された変調信号が生成され、この変調信号は送信回路５に入力される。
送信回路５では、上記変調信号が周波数シンセサイザ４から発生されたアナログ通話チャネルの無線周波数に応じた送信局部発振信号とミキシングされて無線周波信号にアップコンバートされ、さらに所定の出力レベルに高周波増幅される。
【００６５】
そして、この送信回路５から出力された無線周波信号は、アンテナ共用器２を介してアンテナ１に供給され、このアンテナ１から図示しない基地局へ向け送信される。
【００６６】
ところで、制御部２０は、例えばマイクロコンピュータを主制御部とし、各部を統括して制御している。その制御内容としては、図示しない基地局と通信リンクを開設して音声やデータの通信を行なうための通常の制御の他に、例えば通話相手の音声を後述の記憶部２１を用いて録音／再生する制御機能などを備えている。
【００６７】
また、制御部２０は、新たな制御機能として通信レート設定制御手段２０ａを備えている。この通信レート設定制御手段２０ａは、ディジタルモードが設定された状態において、後述のイヤホンマイク接続検出部２３がジャック１６に難聴者用のイヤホンマイク４０が接続された状態にあると判定した場合に、送信データレートをフルレートに設定するものである。
【００６８】
イヤホンマイク接続検出部２３は、イヤホンマイク識別スイッチ１６３が押下されたか否かを監視するもので、この監視により、ジャック１６に難聴者用のイヤホンマイク４０が接続された状態にあるか否かを判定する。
【００６９】
ところで、難聴者用イヤホンマイク４０は、プラグ４００、振動部４１、振動検出部４２とを備える。また、プラグ４００は、入力端子４０１と、出力端子４０２と、識別用凸部４０３とからなる。
【００７０】
入力端子４０１は、プラグ４００をジャック１６に接続した場合に、出力端子１６１と電気的に接続され、この端子を通じて入力されるアナログ送話信号を振動部４１に入力する。
【００７１】
出力端子４０２は、プラグ４００をジャック１６に接続した場合に、入力端子１６２と電気的に接続され、後述の振動検出部４２からのアナログ送話信号を入力端子１６２に入力する。
【００７２】
振動部４１は、鼓膜、あるいは鼓膜近傍の人体に接触させて使用するもので、入力端子４０１を通じて入力されるアナログ送話信号を振動に変換し、この振動を鼓膜に伝えるものである。
【００７３】
振動検出部４２は、人体頭部もしくは首部に接触させて使用するもので、ユーザが発する音声を、人体の振動より電気信号として検出し、アナログ送話信号として出力端子４０２に入力する。
【００７４】
次に、上記構成の移動通信端末装置を用いて、ディジタルモード時に、難聴者用イヤホンマイク４０を接続して通信を行なう場合の動作について説明する。なおここでは、受信系の動作については従来と同様な動作がなされるため、その説明を省略し、送信系の動作についてのみ説明する。
【００７５】
まず、ジャック１６に難聴者用イヤホンマイク４０が接続されると、識別用凸部４０３によりイヤホンマイク識別スイッチ１６３が押下される。すると、イヤホンマイク接続検出部２３が難聴者用イヤホンマイク４０の接続を検出し、この旨を制御部２０に通知する。
【００７６】
そして、通信モードがディジタルモードに設定された状態で、通信が開始されると、制御部２０の通信レート設定制御手段２０ａは、上記接続の検出が通知されているため、音声符号処理部７１および送信回路５に対して、送信データレートをフルレートとなるように指示する。
【００７７】
これに対して、音声符号処理部７１は、ＰＣＭ符号処理部８より入力されるディジタル送話信号に対して、フルレートのフォーマットのバースト信号に圧縮処理を施し、送信データとしてＣＤＭＡ信号処理部６に入力する。
【００７８】
ＣＤＭＡ信号処理部６は、上記送信データを送信チャネルに応じたＰＮ符号を用いて拡散処理を施したのち直交変調処理を施し、直交変調信号として送信回路５に入力する。
【００７９】
送信回路５は、上記直交変調信号を送信局部発振信号と合成して無線周波信号に変換する。そして、送信回路５は、通信レート設定制御手段２０ａからフルレートの指示があったため、送信フレーム単位で増幅を行なう。このようにして高周波増幅された無線周波信号は、アンテナ共用器２を介してアンテナ１に出力される。
【００８０】
以上のように、上記構成の移動通信端末装置では、ディジタルモードで通信を行なう場合に、難聴者用イヤホンマイク４０が接続された状態で通信を行なうと、フルレートで送信を行なうようにしている。
【００８１】
このため、難聴者向けの特殊なイヤホンマイク４０を使用する場合には、送信回路５における送信信号の断続的な増幅動作が行なわれなくなり、代わって送信フレーム単位での増幅動作が行なわれる。そして、これにより、アンテナ１にて受信した無線周波信号の受話側のアナログ信号への影響を抑制でき、受話アナログ音声信号を明瞭に再生することができる。
【００８２】
尚、この発明は上記実施の形態に限定されるものではない。例えば、上記実施の形態では、通信レート設定制御手段２０ａが難聴者用イヤホンマイク４０が接続された場合に、設定する伝送レートをフルレートとしたが、これに限定されるものではなく、ハーフレート以上の高速な伝送レートに固定するようにすれば、断続的な増幅動作の回数は自動的な可変時に比べ減じられるため、受話側のアナログ音声信号を明瞭に再生することができる。
【００８３】
また、上記実施の形態では、通信に先立って難聴者用イヤホンマイク４０を当該移動通信端末装置に接続しておくものとした。これに対して、通信中に難聴者用イヤホンマイク４０を接続した場合において、この状態をイヤホンマイク接続検出部２３が検出して制御部２０に通知し、通信レート設定制御手段２０ａが送信データレートをフルレートにして通信を行なうようにしても、同様の効果を得られる。
【００８４】
さらにまた、上記実施の形態では、通信レート設定制御手段２０ａは、難聴者用イヤホンマイク４０が接続されると、送信データレートをフルレートにするものとした。
【００８５】
これに代わって上記接続がなされた場合に通信レート設定制御手段２０ａは、予め設定したレート以上の送信データレートの範囲で、送信データレートを音声等の伝送情報の量に応じて可変制御するようにしてもよい。このような構成であっても、送信回路５における断続的な増幅動作が減ずるため、難聴者用イヤホンマイク４０を使用した場合に、受話側のアナログ音声信号を明瞭に再生することができる。
その他、この発明の要旨を逸脱しない範囲で種々の変形を施しても同様に実施可能であることはいうまでもない。
【００８６】
【発明の効果】
以上述べたように、この発明では、音声入出力手段の接続を検出した場合に、伝送データを予め設定した伝送レートのバースト信号に変換し、上記伝送レートに基づいて上記バースト信号を送信するようにしている。このため、予め設定される上記伝送レートとして高速な伝送レートを設定しておけば、難聴者向けの特殊なイヤホンマイクを接続した場合に、送信バースト信号を増幅する際の断続的な増幅動作が減じられて、受信した無線周波信号のアナログ受話信号への影響を抑制できる。
【００８７】
したがって、この発明によれば、難聴者向けの特殊なイヤホンマイクを接続して使用した場合でも、受話側のアナログ音声信号を明瞭に再生することが可能な移動通信端末装置を提供できる。
【図面の簡単な説明】
【図１】この発明に係わる移動通信端末装置の一実施形態の構成を示す回路ブロック図。
【図２】従来の移動通信端末装置の構成を示す回路ブロック図。
【図３】アナログ送話信号と、図２に示した移動通信端末装置の音声符号処理部にて決定される送信データレートとの関係を示す図。
【図４】図２に示した移動通信端末装置より送信されるバースト信号と、入力音声のエネルギー量との関係を説明するための図。
【符号の説明】
１…アンテナ
２…アンテナ共用器（ＤＵＰ）
３…受信回路（ＲＸ）
４…周波数シンセサイザ（ＳＹＮ）
５…送信回路（ＴＸ）
６…ＣＤＭＡ信号処理部
７１…音声符号処理部
８…ＰＣＭ符号処理部
９，１０，１３，１４…切替回路
１１…スピーカ
１２…マイクロホン
１５…アナログ音声回路
１６…ジャック
１６１…出力端子
１６２…入力端子
１６３…イヤホンマイク識別スイッチ
２０…制御部
２０ａ…通信レート設定制御手段
２１…記憶部
２２…コンソールユニット（ＣＵ）
２３…イヤホンマイク接続検出部
３０…バッテリ
３１…電源回路
４０…難聴者用イヤホンマイク
４１…振動部
４２…振動検出部
４００…プラグ
４０１…入力端子
４０２…出力端子
４０３…識別用凸部
【図１】
0003665465.tif 000002
【図２】
0003665465.tif 000003
【図３】
0003665465.tif 000004
【図４】
0003665465.tif 000005